(57)【特許請求の範囲】
【請求項１】
前面に開口部が形成された箱状をなし、内部に上下方向に並ぶ複数のユニット室を有する配電盤本体と、
この配電盤本体の開口部にこれを開閉すべく回動可能に設けられ、前記複数のユニット室に臨むように上下方向に延びる開放口部を有する一枚扉と、
この一枚扉の開放口部に前記複数のユニット室にそれぞれ対応して配置され、固定部材を介して取付けられた複数の単位扉とを備え、
前記単位扉は、矩形状の扉本体部と、この扉本体部に設けられた表示窓部と、前記扉本体部の上端部に一体に形成され、後方に指向し上方に延びるように段差状をなすパッキン配置部と、このパッキン配置部に配置されたパッキンとを有し、
前記パッキンは、前記一の単位扉のパッキン配置部前面と、この上方に位置する他の単位扉の扉本体部背面とで挟持されていることを特徴とする閉鎖配電盤。
【請求項２】
固定部材は、
一端部が一枚扉の背面側に取付けられ、他端部が後方に延びるねじ棒と、
このねじ棒に螺合されたナットとから構成されていることを特徴とする請求項１に記載の閉鎖配電盤。
【請求項３】
固定部材は、
一枚扉にその前面側から挿通されたねじと、
このねじに前記一枚扉の背面側から螺合されたナットとから構成されていることを特徴とする請求項１に記載の閉鎖配電盤。
【請求項４】
固定部材は、
一枚扉の背面に開放口部に沿うように設けられ、複数の単位扉が嵌込まれる一対のガイドレールと、
これらのガイドレールにその後方側から螺挿され、前記単位扉を前記一枚扉の背面に押圧するねじとから構成されていることを特徴とする請求項１に記載の閉鎖配電盤。
【請求項５】
表示窓部は、
単位扉に形成された孔部と、
前記単位扉の背面側に位置し前記孔部を囲う枠状パッキンと、
この枠状パッキンの背面側に配置された透明板とから構成され、
前記表示窓部の前記枠状パッキン及び前記透明板は、前記単位扉を固定する固定部材で固定されていることを特徴とする請求項１乃至４のいずれかに記載の閉鎖配電盤。
【発明の詳細な説明】
【技術分野】
【０００１】
本発明は、内部に上下方向に並ぶ複数のユニット室を有する閉鎖配電盤に関する。
【背景技術】
【０００２】
従来の閉鎖配電盤は、箱状の配電盤本体と、この配電盤本体の内部に複数段に位置調整可能に配設された棚板と、この棚板で上下多段に形成された複数のユニット室とを備えている。各ユニット室には、制御対象たる複数の電動機等を制御する制御ユニットが夫々収納されている。配電盤本体の各ユニット室の前面には、ユニット室に対応する単位扉が夫々回動可能に取付けられている。この構成により、収納される単位装置が変更されても、単位装置の大きさに合わせて棚板を上下調整し、所望のユニット室の高さに変更することができる。又、ユニット室の大きさの変更に伴って、ユニット室の大きさに対応した単位扉に変更することができる（例えば、特許文献１参照）。
【特許文献１】特開２００１−１９７６２１号公報
【発明の開示】
【発明が解決しようとする課題】
【０００３】
工場等の設置場所において、閉鎖配電盤の上方の水道配管の異常或いはスプリンクラーの誤作動により、閉鎖配電盤に上方から水が降りかかることがある。
しかしながら、従来の閉鎖配電盤は、屋内に設置されることが基本となっているので、単位扉と配電盤本体との間には、コーキング剤によるコーキングや、ゴムパッキンによるシール等の防水機能は設けられていない。
【０００４】
本発明は、上記の事情に鑑みてなされたものであり、その目的は、収納されるユニット室の大きさに対応して単位扉を変更できながら、単位扉と配電盤本体との間の防水を簡単に行なうことができる閉鎖配電盤を提供することである。
【課題を解決するための手段】
【０００５】
本発明の閉鎖配電盤は、前面に開口部が形成された箱状をなし、内部に上下方向に並ぶ複数のユニット室を有する配電盤本体と、この配電盤本体の開口部にこれを開閉すべく回動可能に設けられ、前記複数のユニット室に臨むように上下方向に延びる開放口部を有する一枚扉と、この一枚扉の開放口部に前記複数のユニット室にそれぞれ対応して配置され、固定部材を介して取付けられた複数の単位扉とを備え、前記単位扉は、矩形状の扉本体部と、この扉本体部に設けられた表示窓部と、前記扉本体部の上端部に一体に形成され、後方に指向し上方に延びるように段差状をなすパッキン配置部と、このパッキン配置部に配置されたパッキンとを有し、前記パッキンは、前記一の単位扉のパッキン配置部前面と、この上方に位置する他の単位扉の扉本体部背面とで挟持されていることを特徴としている。
【発明の効果】
【０００６】
本発明によれば、閉鎖配電盤は、一枚扉の開放口部に複数のユニット室にそれぞれ対応して配置された複数の単位扉を備えているので、ユニット室の大きさの変更によって単位扉の交換が必要になった場合には、高さ寸法の異なる単位扉の変更で対応することができる。
そして、パッキン配置部に配置されるパッキンを、一の単位扉のパッキン配置部前面と、この上方に位置する他の単位扉の扉本体部背面とで挟持する構成にしたので、上方から水が降りかかっても、簡単な構成で単位扉と配電盤本体との間の防水ができる。
【発明を実施するための最良の形態】
【０００７】
以下、第１の実施形態を、図１乃至図８を参照して説明する。
図２，３には、本実施形態に係る閉鎖配電盤１の外観が示されている。閉鎖配電盤１は、前面に開口部２ａが形成された箱状の配電盤本体２を有している。配電盤本体２の内部には、図１，３に示すように、複数枚、例えば４枚の棚板２ｂ，２ｃ，２ｄ，２ｅによって、上下方向に並ぶ複数、例えば４つのユニット室３（上段からユニット室３ａ，３ｂ，３ｃ，３ｄ）を有している。棚板２ｂ，２ｃ，２ｄ，２ｅは、図示はしないが、上下方向に移動調整可能であり、ユニット室３ａ，３ｂ，３ｃ，３ｄの高さ寸法を任意に変更することができる。
【０００８】
各ユニット室３ａ，３ｂ，３ｃ，３ｄには、図１に示すように、これらに対応して制御ユニット４，５，６，７が夫々収納されている。制御ユニット４，５，６，７は、図示しない制御対象たる複数の電動機を制御するものである。ここで、制御ユニット４，５，６，７は、制御対象の電動機に対応した制御機能の種類、数によってユニットの大きさが異なっている。本実施形態では、制御ユニット６が他の制御ユニット４，５，７よりも大きい、例えば制御ユニット４，５，７の約２倍の大きさのものとして説明する。従って、制御ユニット６が収納されるユニット室３ｃが、他のユニット室３ａ，３ｂ，３ｄよりも大きくなるように棚板２ｂ，２ｃ，２ｄ，２ｅを上下方向に移動して調節される。各制御ユニット４，５，６，７の前面下部には、電動機の動作状態を前面に示す表示部４ａ，５ａ，６ａ，７ａが夫々設けられている。
【０００９】
配電盤本体２の開口部２ａには、図１乃至図３に示すように、開口部２ａを開閉すべく一枚扉１１が、ヒンジ部（図示せず）を軸にして前後方向に回動可能に設けられている。一枚扉１１は、図１乃至図４に示すように、ユニット室３ａ，３ｂ，３ｃ，３ｄに臨むように上下方向に延びる開放口部１１ａを有している。又、一枚扉１１には、ヒンジ部の反対方向側（例えば、図２の右側）に位置して、後方に凹む取手部１１ｂが形成されている。
【００１０】
一枚扉１１の開放口部１１ａには、図１に示すように、ユニット室３ａに対応する単位扉１２と、ユニット室３ｂに対応する単位扉１２と、ユニット室３ｃに対応する単位扉（単位扉１２及び単位扉１３）と、ユニット室３ｄに対応する単位扉１２とが配置されている。尚、制御ユニット６は他の制御ユニット４，５，７よりも大きいので、単位扉１２及び単位扉１３で１つの単位扉を構成している。又、一枚扉１１の開放口部１１ａの最下部には、単位扉１４が配置されている。
【００１１】
単位扉１２は、図１，４，７に示すように、一のユニット室３（例えばユニット室３ａ，３ｂ，３ｄ）に対応する大きさの矩形状の扉本体部１２ａと、パッキン配置部１２ｂとを有している。パッキン配置部１２ｂは、扉本体部１２ａの上端部に一体に形成され、後方に指向し上方に延びるように段差状をなしている。パッキン配置部１２ｂには、防水機能を有したパッキン、例えばゴム製のパッキン１５が配置され、そのパッキン１５は、図示しない接着剤でパッキン配置部１２ｂの前面に接着固定されている。パッキン１５は、矩形板状をなし、この横幅が、単位扉１２の扉本体部１２ａの横幅と略同じである。又、パッキン配置部１２ｂに接着されたパッキン１５は、その前面が扉本体部１２ａの前面よりやや前方に突出するような寸法になっている。
【００１２】
単位扉１２の扉本体部１２ａの左右両端部付近には、図６，７に示すように、挿通孔１２ｃが上下方向に２箇所ずつ（単位扉１２全体として計４箇所）形成されている。単位扉１２の扉本体部１２ａの下部の一対の挿通孔１２ｃ，１２ｃ間には、各制御ユニット４，５，６，７の表示部４ａ，５ａ，６ａ，７ａに対応した大きさの矩形状の孔部１２ｄが形成されている。
【００１３】
単位扉１２の背面には、外形が矩形状をなす枠状パッキン１６が図示しない接着剤で接着固定されている。枠状パッキン１６には、孔部１２ｄを囲う開口部１６ａが形成されている。枠状パッキン１６は、防水機能を有したパッキン、例えばパッキン１５と同じゴム製である。枠状パッキン１６の左右両端部付近には、挿通孔１２ｃ，１２ｃと位置、大きさが一致する一対の挿通孔１６ｂ，１６ｂが形成されている。
【００１４】
枠状パッキン１６の背面側には、枠状パッキン１６と同じ外形である透明板、例えばアクリル板１７が配置されている。アクリル板１７の左右両端部付近には、挿通孔１２ｃ，１２ｃ（１６ｂ，１６ｂ）と位置、大きさが一致する一対の挿通孔１７ａ，１７ａが形成されている。
【００１５】
そして、単位扉１２の孔部１２ｄと、枠状パッキン１６と、アクリル板１７とから表示窓部１８が構成される。これにより、閉鎖配電盤１に収納されたユニット４，５，６，７の動作等の確認は、この表示窓部１８からユニット４，５，６，７の表示面４ａ，５ａ，６ａ，７ａを見て行なうことが可能となる。
【００１６】
単位扉１３は、単位扉１２と略同形状（高さ寸法が同一であることも含む）であり、図１乃至図５に示すように、扉本体部１２ａに相当する扉本体部１３ａと、パッキン配置部１２ｂに相当するパッキン配置部１３ｂとを有しており、挿通孔１２ｃに相当する挿通孔１３ｄが、同じ位置、大きさで形成されている。又、パッキン配置部１３ｂの前面には、パッキン１５が接着固定されている。しかし、この単位扉１３には、表示窓部１８は設けられていない。
【００１７】
単位扉１４は、図１乃至図６、図８に示すように、扉本体部１２ａに相当する扉本体部１４ａと、パッキン配置部１２ｂに相当するパッキン配置部１４ｂを有している。扉本体部１４ａは、単位扉１２の扉本体部１２ａの高さ方向の寸法の約半分である。パッキン配置部１４ｂの前面には、パッキン１５が配置されている。この単位扉１４は、扉本体部１４ａの左右両端部付近に挿通孔１４ｃが一対形成されている。そして、扉本体部１４ａの挿通孔１４ｃ，１４ｃ間の下端部には、垂下部１４ｄが形成されている。垂下部１４ｄは、扉本体部１４ａと一体に形成され、前方に指向し下方に延びるように段差状をなし、図１に示すように、一枚扉１１の開放口部１１ａの下縁部の前面に当接するように配置される。尚、単位扉１４には、表示窓部１８は設けられていない。
【００１８】
単位扉１２，１３，１４は、ねじ棒２１及びねじ棒２１に螺合するナット２２とからなる固定部材で夫々固定されている。ねじ棒２１は、図５，６に示すように、ボルトの雄ねじに加工されている丸棒状をなし、その一端部が、一枚扉１１の背面に溶接等で固定され、他端部が後方に延びている。ねじ棒２１は、図３，４に示すように、一枚扉１１の背面側の開放口部１１ａの左右両側に上下に等間隔を存して十一対配置され、単位扉１２，１３，１４の挿通孔１２ｃ，１３ｃ，１４ｃに相対的に挿入される。即ち、各単位扉１２（単位扉１３）は、二対（４箇所）のねじ棒２１及びナット２２で一枚扉１１に固定されている。又、枠状パッキン１６及びアクリル板１７は、単位扉１２の下部の挿通孔１２ｃに挿入されるねじ棒２１及びナット２２で、扉本体部１２ａと一緒に一枚扉１１に固定される。尚、単位扉１４は、最下方に位置する一対（２箇所）のねじ棒２１及びナット２２で一枚扉１１に固定される。
【００１９】
次に、単位扉１２，１３，１４を一枚扉１１に取付ける手順について説明する。
まず、配電盤本体２の棚板２ｂ，２ｂ，２ｄ，２ｅを上下方向に移動させ、制御ユニット４，５，６，７の大きさに対応したユニット室３ａ，３ｂ，３ｃ，３ｄに調整する。
そして、単位扉１４の垂下部１４ｄが一枚扉１１の開放口部１１ａよりも前面に位置するように配置して固定する。これにより、一枚扉１１の開放口部１１ａの下部からの防水が可能となる。
【００２０】
次に、ユニット室３ｄに対応する単位扉１２を、単位扉１４のすぐ上に固定する。すると、単位扉１４のパッキン配置部１４ｂ前面と、この上方に位置する単位扉１２の扉本体部１２ａ背面とで、単位扉１４に配置されたパッキン１５は挟持された状態になる。これにより、挟持されたパッキン１５で閉鎖配電盤１の防水が可能となる。
【００２１】
引き続き、ユニット室３ｃに対応した単位扉（単位扉１２及び単位扉１３）を、ユニット室３ｄに対応する単位扉１２のすぐ上に固定する。このとき、ユニット６の前面下部に表示部６ａが位置しているので、下側に単位扉１２を配置させ、その上に単位扉１３を配置させる。
【００２２】
これにより、ユニット室３ｄに対応した単位扉１２のパッキン配置部１２ｂ前面と、この上方に位置するユニット室３ｃに対応した単位扉１２の扉本体部１２ａ背面とで、この単位扉１２に配置されたパッキン１５は挟持された状態になる。又、単位扉１２のパッキン配置部１２ｂ前面と、この上方に位置する単位扉１３の扉本体部１３ａ背面とで、単位扉１２に配置されたパッキン１５が挟持された状態になる。このように、各パッキン１５が挟持されて、閉鎖配電盤１の防水が可能となる。
【００２３】
ユニット室３ｂに対応する単位扉１２、及びユニット室３ａに対応する単位扉１２も、上記と同様に、この順で下から一枚扉１１に固定させていく。すると、ユニット室３ｃに対応する単位扉１３のパッキン配置部１３ｂ前面と、この上方に位置するユニット室３ｂに対応する単位扉１２の扉本体部１２ａ背面とで、単位扉１３に配置されたパッキン１５は挟持された状態になる。又、ユニット室３ｂに対応する単位扉１２のパッキン配置部１２ｂ前面と、この上方に位置するユニット室３ａに対応する単位扉１２の扉本体部１２ａ背面とで、ユニット室３ｂに対応した単位扉１２に配置されたパッキン１５は挟持された状態になる。更に、ユニット室３ａに対応する単位扉１２のパッキン配置部１２ｂ前面と、一枚扉１１の開放口部１１ａの上部の背面の周縁部とで、ユニット室３ａに対応した単位扉１２に配置されたパッキン１５は挟持された状態になる。これにより、挟持された各パッキン１５で閉鎖配電盤１の防水が可能となる。
【００２４】
次に本実施形態の閉鎖配電盤１の効果について説明する。
本実施形態の閉鎖配電盤１は、一枚扉１１の開放口部１１ａにユニット室３（ユニット室３ａ，３ｂ，３ｃ，３ｄ）にそれぞれ対応して配置された単位扉１２を備えているので、ユニット室３ａ，３ｂ，３ｃ，３ｄの大きさの変更によって単位扉１２の交換が必要になった場合には、高さ寸法の異なる単位扉１２の変更で対応することができる。
【００２５】
この場合、ユニット室３のうちのひとつが、他のユニット室３よりも２倍大きい場合には、表示窓部１８が設けられていない単位扉１３と単位扉１２を２枚組み合わせることにより、ユニット室の大きさに容易に対応することができる。
【００２６】
そして、パッキン配置部１２ｂ（パッキン配置部１３ｂ，１４ｂ）に配置されるパッキン１５を、一の単位扉１２（単位扉１３，１４）のパッキン配置部１２ｂ（パッキン配置部１３ｂ，１４ｂ）前面と、この上方に位置する他の単位扉１２（単位扉１３）の扉本体部１２ａ（扉本体部１３ａ）背面とで挟持する構成にしたので、閉鎖配電盤１の上方の水道配管の異常或いはスプリンクラーの誤作動により、上方から水が降りかかっても、簡単な構成で単位扉１２，１３，１４と配電盤本体２との間の防水ができる。
【００２７】
更に、単位扉１４に垂下部１４ｄを設ける構成としたので、一枚扉１１の開放口部１１ａの下部からの防水も可能である。
尚、本実施形態においては、基本的に、表示窓部１８を有する単位扉１２でユニット室３の前面の一枚扉１１の開口部１１ａを塞ぐのであるが、制御ユニット４，５，６，７の大きさによって単位扉１２のみで塞ぐことができない余り空間は、表示窓部１８を有していない単位扉１３で塞ぐことができ、一枚扉１１の開放口部１１ａの最下部の余り空間は、単位扉１４で塞ぐことができる。
【００２８】
次に、本発明の第２の実施形態の閉鎖配電盤１を、図９を参照して説明する。尚、上記第１の実施形態と同様な一部分には同符号を付し、その詳細な説明は省略する。
図９に示す第２の実施形態の閉鎖配電盤１は、固定部材が第１の実施形態と異なる。即ち、第２の実施形態の固定部材は、ねじ３１及びナット２２から構成されている。
【００２９】
一枚扉１１には、第１の実施形態のねじ棒２１に相当する位置に挿通孔１１ｃが形成されている。そして、ねじ３１が、一枚扉１１の前面側から挿通孔１１ｃに挿通され、更に単位扉１２の挿通孔１２ｃ（単位扉１３の挿通孔１３ｃ或いは単位扉１４の挿通孔１４ｃ）に挿通され、ナット２２が一枚扉１１の背面側からねじ３１と螺合され、もって、単位扉１２（単位扉１３，１４）は固定される。
【００３０】
第２の実施形態の閉鎖配電盤１も、第１の実施形態の閉鎖配電盤１と同様の作用効果を奏することができる。
又、ねじ棒２１の溶接作業を要しないので、容易に閉鎖配電盤１を組み立てる事ができる。
【００３１】
次に、本発明の第３の実施形態の閉鎖配電盤１を、図１０乃至図１３を参照して説明する。尚、上記第１の実施形態と同様な一部分には同符号を付し、その詳細な説明は省略する。
図１０乃至図１３に示す第３の実施形態の閉鎖配電盤１は、固定部材が第１の実施形態と異なる。即ち、第３の実施形態の固定部材は、一対のガイドレール４１，４１及びねじ４２で構成されている。尚、本実施形態では、単位扉１２，１３，１４の挿通孔１２ｃ，１３ｃ，１４ｃ、枠状パッキン１６の挿通孔１６ｂ、アクリル板１７の挿通孔１７ｂは、形成されていない。
【００３２】
一対のガイドレール４１，４１は、一枚扉１１の背面に開放口部１１ａを挟んで左右両側に位置して、開放口部１１ａの高さ方向に沿って延びている。
一対のガイドレール４１，４１は、図１１，１２に示すように、一枚扉１１の背面に重ねられる平板状の併設部４１ａ，４１ａと、併設部４１ａ，４１ａの端部のうちの互いが接近する側（開放口部１１ａ側）に位置する端部から後方に延びる立設部４１ｂ，４１ｂと、立設部４１ｂ，４１ｂの端部のうちの後方側の端部から互いが接近する方向へ延びる背面部４１ｃ，４１ｃから構成されている。
【００３３】
併設部４１ａ，４１ａは、一枚扉１１の背面に溶着により固定されている。
立設部４１ｂ，４１ｂ間は、単位扉１２，１３，１４の幅方向と同じ寸法だけ離されており、又、立設部４１ｂ，４１ｂの後方への立設の長さ寸法は、単位扉１２，１３，１４の厚さ寸法よりも大きくなっている。背面部４１ｃ，４１ｃの端部のうちの互いが接近する端部４１ｄ，４１ｄ間は、一枚扉１１の開放口部１１ａの横幅に対応している。そして、単位扉１２，１３，１４は、立設部４１ｂ，４１ｂ間で、一枚扉１１とガイドレール４１，４１の背面部４１ｃ，４１ｃとの間に収納されて、嵌込まれた状態になる。
【００３４】
一対のガイドレール４１，４１の背面部４１ｃ，４１ｃには夫々、雌ねじ部４１ｅが一枚扉１１の高さ方向に沿って１１箇所、等間隔に形成され、この雌ねじ部４１ｅにガイドレール４１，４１の後方側からねじ４２が螺挿される。そして、単位扉１２の上部及び単位扉１３，１４は、ねじ４２で、一枚扉１１の背面に押圧されて固定される。又、単位扉１２の下部に位置するアクリル板１７は、ねじ４２で枠状パッキン１６の背面に押圧されて固定され、枠状パッキン１６は、押圧されたアクリル板１７で単位扉１２の背面に押圧されて固定され、単位扉１２の下部は、押圧された枠状パッキン１６で一枚扉１１の背面に押圧されて固定される。
【００３５】
次に、一枚扉１１の開放口部１１ａに単位扉１２，１３，１４を嵌込む手順を説明する。まず、一対のガイドレール４１，４１間に単位扉１４を嵌込み、一枚扉１１の開放口部１１ａの最下部に配置し、ねじ４２で押圧して固定する。次に、その上にユニット室３ｄに対応する単位扉１２を固定する。引き続き、ユニット室３ｃに対応する単位扉（単位扉１２，１３）、ユニット室３ｂに対応する単位扉１２、ユニット室３ａに対応する単位扉１２を順に固定する。
第３の実施形態の閉鎖配電盤１も、第１の実施形態の閉鎖配電盤１と同様の作用効果を奏することができる。
【００３６】
次に、本発明の第４の実施形態の閉鎖配電盤１を、図１４，１５を参照して説明する。尚、上記第１の実施形態と同様な一部分には同符号を付し、その詳細な説明は省略する。
図１４，１５に示す第４の実施形態の閉鎖配電盤１の単位扉１２は、扉本体部１２ａが一枚扉１１の開放口部１１ａに嵌込まれ、一枚扉１１の前面と単位扉１２の前面が面一になる構成である。単位扉１２の扉本体部１２ａの左右両端部には、パッキン配置部１２ｅ，１２ｅが夫々形成されている。パッキン配置部１２ｅ，１２ｅは、扉本体部１２ａと一体に形成されている。一のパッキン配置部１２ｅは、後方に指向し左方に延びるように段差状をなし、他方のパッキン配置部１２ｅは、後方に指向し右方に延びるように段差状をなしている。この単位扉１２のパッキン配置部１２ｅ，１２ｅには、挿通孔１２ｃ，１２ｃが２箇所ずつ形成されている。パッキン配置部１２ｅ，１２ｅの前面には、パッキン５１，５１が配置され接着剤で固定されている。
【００３７】
パッキン５１，５１はパッキン１５と同じ材料であるが、パッキン配置部１２ｅ，１２ｅに配置される寸法に調整されている。又、単位扉１２の背面側には、枠状パッキン１６が接着剤で接着固定され、枠状パッキン１６の背面側には、アクリル板１７が接着剤で接着固定されている。
【００３８】
本実施形態のねじ棒２１は、図１５に示すように、一枚扉１１の開放口部１１ａの左右両側にパッキン１５の厚さ寸法分だけ開放口部１１ａから離れて溶接されている。
尚、図示はしないが、単位扉１３及び単位扉１４（図１，８参照）も、本実施形態の単位扉１２と同様に、扉本体部１３ａ，１４ａの左右両側にパッキン配置部及びこのパッキン配置部に配置されるパッキンを有している。
【００３９】
次に単位扉１２の取付け方法について、図１５を参照して説明する。
単位扉１２の各挿通孔１２ｃに一枚扉１１の対応するねじ棒２１を挿入する。そして、単位扉１２の背面から飛出したねじ棒２１部分にナット２２を螺合して締付ける。この場合、一枚扉１１の前面と単位扉１２の前面が面一なるまで締付けて固定する。
【００４０】
これにより、パッキン配置部１２ｅに配置されるパッキン５１を、一の単位扉１２のパッキン配置部１２ｅ前面と、一枚扉１１背面とで挟持する構成にしたので、左右方向から水が降りかかっても、簡単な構成で単位扉１２と配電盤本体２との間の防水ができる。単位扉１３，１４も同様の構成であるので、左右方向から水が降りかかっても、簡単な構成で単位扉１３，１４と配電盤本体２との間の防水ができる。
又、一枚扉１１の前面と単位扉１２（単位扉１３，１４）の前面が面一になるので、見栄えが良い。
【００４１】
尚、本発明は上記し且つ図面に示す実施形態に限定されず、次のような変形、拡張が可能である。
第１乃至第４の実施形態の単位扉は、ユニット室に対応して設けられているので、ユニット室を任意に増減した場合、その増減に対応して単位扉の長さ寸法を増減させても良く、又は、複数の単位扉を合わせた一体形状の単位扉として構成させても良い。
【００４２】
第１乃至第３の実施形態の枠状パッキンは、接着剤を用いずに、固定部材のみで固定しても良い。
第４の実施形態のねじ棒の代わりに、第２の実施形態のねじを用いた構成にしても良い。
第１乃至第４の実施形態の固定部材に、座金を設けても良い。
第１乃至第４の実施形態では、一枚扉の開放口部に単位扉を、下方側順に嵌込んで説明したが、上方側から順に単位扉を嵌込んでも良い。
上記した構成部品の材料、数等についても、適宜変更することができる。
【図面の簡単な説明】
【００４３】
【図１】本発明の第１の実施形態の閉鎖配電盤で、図２中のＡ−Ａ線に沿って切断した断面図
【図２】閉鎖配電盤の斜視図
【図３】一枚扉の開いた状態を示す閉鎖配電盤の斜視図
【図４】一枚扉の背面図
【図５】図４中のＢ−Ｂ線に沿って切断した断面図
【図６】図４中のＣ−Ｃ線に沿って切断した断面図
【図７】単位扉の分解図
【図８】一枚扉の開放口部の最下部に位置する単位扉の分解図
【図９】本発明の第２の実施形態の閉鎖配電盤を示す図５相当図
【図１０】本発明の第３の実施形態の閉鎖配電盤を示す図４相当図
【図１１】図１０中のＤ−Ｄ線に沿って切断した断面図
【図１２】図１０中のＥ−Ｅ線に沿って切断した断面図
【図１３】図１０中のＦ−Ｆ線に沿って切断した断面図
【図１４】本発明の第４の実施形態の単位扉を示す図７相当図
【図１５】図６相当図
【符号の説明】
【００４４】
図面中、１は閉鎖配電盤、２は配電盤本体、２ａは開口部、３，３ａ，３ｂ，３ｃ，３ｄはユニット室、４，５，６，７はユニット、１１は一枚扉、１１ａは開放口部、１２，１３，１４は単位扉、１２ａ，１３ａ，１４ａは扉本体部、１２ｂ，１３ｂ，１４ｂはパッキン配置部、１２ｄは孔部、１５はパッキン、１６は枠状パッキン、１７はアクリル板（透明板）、１８表示窓部、２１はねじ棒（固定部材）、２２はナット（固定部材）、３１，４２はねじ（固定部材）、４１はガイドレール（固定部材）を示す。
【図１】
0004956294.tif 000002
【図２】
0004956294.tif 000003
【図３】
0004956294.tif 000004
【図４】
0004956294.tif 000005
【図５】
0004956294.tif 000006
【図６】
0004956294.tif 000007
【図７】
0004956294.tif 000008
【図８】
0004956294.tif 000009
【図９】
0004956294.tif 000010
【図１０】
0004956294.tif 000011
【図１１】
0004956294.tif 000012
【図１２】
0004956294.tif 000013
【図１３】
0004956294.tif 000014
【図１４】
0004956294.tif 000015
【図１５】
0004956294.tif 000016